(57)【要約】  【課題】エアバッグ本体を支持又は固定する部材の使用を低減することによって軽量化され、更に、小型化も実現することが可能なエアバッグ装置を提供する。  【解決手段】本発明のエアバッグ装置(1)は、バッグ膨出部(11)とバッグ基部(12)とを有するエアバッグ本体(10)と、バッグ膨出部(11)の側面部を支持する支持枠部(20)と、バッグ膨出部(11)の一部を支持枠部(20)とともに収納する膨出部収納容器部(31)とバッグ基部(12)の一部を支持する一対の支持壁部(32)とを有するリテーナ(30)と、バッグ基部(12)に接続したインフレータ(40)と、バッグ基部(12)の一部を支持壁部(32)に固定する固定部材(50)とを備え、前記バッグ基部(12)は、リテーナ止着部(17)とガス導入口(16)とを有した一対の壁部(14)と、壁部(14)間を繋ぐリアパネル部(15)とを有し、前記固定部材(50)で固定される前記バッグ基部(12)の一部が前記一対の壁部(14)であることに特徴を有する。  【選択図】図１
2008247295.tif 000002
【特許請求の範囲】
【請求項１】
バッグ膨出部(11)と該バッグ膨出部(11)に連通するバッグ基部(12)とを有するエアバッグ本体(10)と、
折り畳んだ前記バッグ膨出部(11)の側面部を支持する支持枠部(20)と、
前記バッグ膨出部(11)の一部を前記支持枠部(20)とともに収納する膨出部収納容器部(31)と前記バッグ基部(12)の一部を支持する支持壁部(32)とを有するリテーナ(30)と、
前記バッグ基部(12)に接続され膨張用ガスを供給するインフレータ(40)と、
前記バッグ基部(12)の一部を前記支持壁部(32)に固定する固定部材(50)とを備え、
前記支持壁部(32)は、前記膨出部収納容器部(31)から一方向に延設された、対向する一対から構成され、
前記バッグ基部(12)は、それぞれリテーナ止着部(17)とガス導入口(16)とを有した対向する一対の壁部(14)と、これら壁部(14)の間を繋ぐリアパネル部(15)とを有し、
前記固定部材(50)により固定される前記バッグ基部(12)の一部が前記一対の壁部(14)である、
ことを特徴とするエアバッグ装置。
【請求項２】
前記バッグ基部(12)の前記壁部(14)の少なくとも一方は、前記ガス導入口(16)の周縁部を前記支持壁部(32)に固定されてなる請求項１記載のエアバッグ装置。
【発明の詳細な説明】
【技術分野】
【０００１】
本発明は、車両の助手席等に装備されるエアバッグ装置に関し、具体的には、大幅な軽量化を図ることが可能なエアバッグ装置に関する。
【背景技術】
【０００２】
現在、自動車等の車両が衝突した際に乗員を保護する安全装置として、エアバッグ装置が運転席や助手席等に装備されている。このエアバッグ装置は、一般に、車両が衝突して大きな衝撃を受けたときにその衝撃を感知し、インフレータから高圧ガスを発生させてエアバッグ本体内に導入することにより、エアバッグ本体を瞬時に膨張展開させる。これにより、乗員をエアバッグ本体で緩衝支持して、人体に加わる衝撃力を大幅に緩和できるため、衝突時の乗員の安全が確保される。
【０００３】
一般に、助手席用のエアバッグ装置は、所定の形状に折り畳まれたエアバッグ本体と、エアバッグ本体に導入するガスを発生させるインフレータと、エアバッグ本体を収容する筐体状のリテーナ（エアバッグ本体収容部）とを有しており、前記リテーナは、一般的に底面及び前後左右の各側面を有している。また、このような助手席用エアバッグ装置は、例えばエアバッグ本体とインフレータとを、筐体状に形成されたリテーナに固定部材などを用いて順番に組み付けて固定することにより組み立てられている。
【０００４】
また、例えば特表平６−５０２８２６号公報（特許文献１）に開示されているエアバッグ装置１００（エアバッグアセンブリ）は、図９に示したように、所定の形状に折り畳まれたエアバッグ本体１０１と、エアバッグ本体１０１の開口部に固定されるフレーム１０２と、ガスを発生させるインフレータ１０３と、リテーナ１０４とを有している。また、前記リテーナ１０４は、互いに連結される２つのハウジング１０４ａ，１０４ｂ（第１及び第２ハウジング）により構成されており、リテーナ１０４の内部にはエアバッグ本体１０１とインフレータ１０３とをそれぞれ収容する収容部１０５，１０６が設けられている。
【０００５】
このような前記特許文献１のエアバッグ装置１００を組み立てる場合には、第１及び第２ハウジング１０４ａ，１０４ｂを互いに連結してリテーナ１０４を形成する前に、フレーム１０２が固定されたエアバッグ本体１０１とインフレータ１０３とをリテーナ１０４を構成する一方のハウジング１０４ａ（第１ハウジング）の所定位置に収容する。その後、エアバッグ本体１０１とインフレータ１０３とを収容したハウジング１０４ａに、他方のハウジング１０４ｂを被せ、リベット等を用いてハウジング１０４ａ，１０４ｂ同士を連結固定してリテーナ１０４を形成することにより、エアバッグ装置１００が組み立てられる。
【０００６】
このようにリテーナ１０４の形成時にエアバッグ本体１０１とインフレータ１０３とを組み付けて固定する前記特許文献１のエアバッグ装置１００は、例えば前述のような筐体状のリテーナに固定部材などを用いてエアバッグ本体とインフレータとを順番に組み付け固定するエアバッグ装置に比べて、エアバッグ装置１００の組み立てを容易にまた確実に行うことが可能となる。
【特許文献１】特表平６−５０２８２６号公報
【発明の開示】
【発明が解決しようとする課題】
【０００７】
近年、地球の温暖化対策のために、自動車の排ガスを規制するとともに自動車の燃費を改善することが求められている。また、自動車の燃費を向上させるために、エンジンの低燃費化を図るとともに自動車の軽量化が進められており、自動車に用いられる様々な部品や装置などの重量をより軽減することが望まれている。
【０００８】
一方、エアバッグ装置において、エアバッグ本体などを収容するリテーナや、リテーナにエアバッグ本体やインフレータを固定する固定部材などは、製造コストや加工性、更に剛性の確保の点から、金属部材（通常は鋼板）を用いて形成されていることが多い。このため、エアバッグ装置は重量が重くなり易く、その軽量化を図ることが困難とされていた。
【０００９】
特に、前記特許文献１に記載されているエアバッグ装置１００は、エアバッグ装置１００の組み立てを容易にまた確実に行うために、リテーナ１０４の内部にエアバッグ本体１０１とインフレータ１０３とをそれぞれ収容して組み立てられている。このため、前記特許文献１のエアバッグ装置１００は、リテーナ１０４のサイズが大きくなってしまい、エアバッグ装置自体の重量が更に重くなるという問題があり、また、エアバッグ装置の小型化も難しいという欠点もあった。
【００１０】
本発明は、かかる従来の課題を解消すべくなされたものであり、その具体的な目的は、エアバッグ本体を支持又は固定する部材の使用を低減することによって軽量化され、更に、小型化も実現することが可能なエアバッグ装置を提供することにある。
【課題を解決するための手段】
【００１１】
上記目的を達成するために、本発明により提供されるエアバッグ装置は、基本的な構成として、バッグ膨出部と該バッグ膨出部に連通するバッグ基部とを有するエアバッグ本体と、折り畳んだ前記バッグ膨出部の側面部を支持する支持枠部と、前記バッグ膨出部の一部を前記支持枠部とともに収納する膨出部収納容器部と前記バッグ基部の一部を支持する支持壁部とを有するリテーナと、前記バッグ基部に接続され膨張用ガスを供給するインフレータと、前記バッグ基部の一部を前記支持壁部に固定する固定部材とを備え、前記支持壁部は、前記膨出部収納容器部から一方向に延設された、対向する一対から構成され、前記バッグ基部は、それぞれリテーナ止着部とガス導入口とを有した対向する一対の壁部と、これら壁部の間を繋ぐリアパネル部とを有し、前記固定部材により固定される前記バッグ基部の一部が前記一対の壁部であることを最も主要な特徴とするものである。
【００１２】
また、本発明に係るエアバッグ装置において、前記バッグ基部の前記壁部の少なくとも一方は、前記ガス導入口の周縁部を前記支持壁部に固定されていることが好ましい。
【発明の効果】
【００１３】
本発明に係るエアバッグ装置によれば、支持枠部とリテーナの対向する一対の膨出部収納容器部とにより、エアバッグ本体のバッグ膨出部の一部を収容して支持するとともに、リテーナの対向する一対の支持壁部により、エアバッグ本体のバッグ基部を部分的に支持して固定している。
【００１４】
これにより、本発明では、エアバッグ本体におけるバッグ基部のリアパネル部を支持固定しなくても、また折り畳んだバッグ膨出部の側面部及び底面部全体を支持固定しなくても、支持枠部とリテーナとによってエアバッグ本体を安定して収容し確実に固定することができる。
【００１５】
このため、例えば従来のような底面及び前後左右の各側面を有する筐体状のリテーナによってエアバッグ本体を収容し固定する場合に比べて、更に、前記特許文献１のようなリテーナによってエアバッグ本体及びインフレータを収容し固定する場合（図９を参照）に比べて、本発明のエアバッグ装置は、エアバッグ本体を支持固定するための部材を少なくして構成することができる。
【００１６】
特に、このようなエアバッグ本体を支持固定するための部材は、製造コスト、加工性、剛性の点から一般的に金属部材で形成されているため、このような支持固定部材の使用を少なくすることにより、エアバッグ装置の大幅な軽量化を図ることが可能となる。
【００１７】
また本発明では、前記バッグ基部の一対の壁部がリテーナの一対の支持壁部にそれぞれ固定されており、特に、バッグ基部の壁部の少なくとも一方が、そのガス導入口の周縁部で支持壁部に固定されている。これにより、バッグ基部の壁部が支持壁部に強固に固定されるため、例えばエアバッグ装置が作動してバッグ基部に接続されたインフレータからエアバッグ本体内にガスが導入されても、エアバッグ本体がバッグ基部側に膨張展開することはなく、バッグ膨出部を車室内に向けて安定して膨張展開させることができる。
【発明を実施するための最良の形態】
【００１８】
以下、本発明に係るエアバッグ装置の好適な実施形態について、図面を参照しながら詳細に説明する。
ここで、図１は、本実施形態のエアバッグ装置を模式的に示す斜視図であり、図２は、同エアバッグ装置の断面図である。また、図３は、同エアバッグ装置を分解して、その一部を示した要部斜視図であり、図４は、同エアバッグ装置の下面図である。なお、図３においては、本実施形態のエアバッグ装置の構成部品を解り易く示すために、一対のリテーナ、インフレータ、及び固定部材のうち、一方の部分のみを図示し、他方の部分の図示が省略されている。また、本実施形態の説明において、エアバッグ装置におけるエアバッグ本体のバッグ膨出部が膨張展開する方向を上方とし、その反対側の方向を下方として規定する。また、折り畳まれたバッグ膨出部の長辺側を左右方向とし、短辺側を前後方向として規定する。
【００１９】
本実施形態のエアバッグ装置１は、車両の助手席側に装備されるエアバッグ装置であり、エアバッグ本体１０と、エアバッグ本体１０を収容して支持する支持枠部２０及び一対のリテーナ３０と、エアバッグ本体１０に膨張用ガスを供給する２つのインフレータ４０と、エアバッグ本体１０をリテーナ３０に固定する２つの固定部材５０とを有している。
【００２０】
前記エアバッグ本体１０は、ナイロン６６の織布表面にゴム、シリコン系樹脂等の樹脂がコーティングされて形成された基布を用いて作製されており、エアバッグ装置１の作動時に車室内に膨出して展開するバッグ膨出部１１と、同バッグ膨出部１１の下方部に形成され、バッグ膨出部１１に連通するバッグ基部１２とを一体に有している。
【００２１】
このエアバッグ本体１０のバッグ膨出部１１は、所定の手順で折り畳まれた後、破断可能なラッピングシート１３によって包まれることにより、その折り畳み状態が保持されている。また、エアバッグ本体１０のバッグ基部１２は、折り畳まれたバッグ膨出部１１の底面略中央部に下方に突出するように形成されている。
【００２２】
このバッグ基部１２は、バッグ膨出部１１の底面から垂設され、前後方向に対向して配された一対の壁部１４と、これら壁部１４の間を繋ぐリアパネル部１５とを有しており、一対の前記壁部１４には、それぞれガス導入口１６がその中央部に形成されているとともに、このガス導入口１６の周辺には４つのリテーナ止着部１７が形成されている。本実施形態において、前後の各壁部１４に形成したガス導入口１６及びリテーナ止着部１７の位置が互いに対向するように配されている。
【００２３】
前記支持枠部２０は、鋼板などの金属部材で形成されている。この支持枠部２０は、前後左右に配された４本の側枠片２１〜２４によって上面視で長方形状に構成されており、エアバッグ本体１０のバッグ膨出部１１の側部を支持する。また、支持枠部２０の前後に配された側枠片２１，２２には、それぞれ３つのフック部２５が形成されている。このフック部２５を、例えば車両のインストルメントパネル裏面に設けられた四角筒形状の周壁部材に係止することにより、エアバッグ装置１がインストルメントパネル裏面の所定部位に固定される。
【００２４】
前記リテーナ３０は、鋼板などの金属部材で形成されており、前後に対向して配される一対から構成されている。このリテーナ３０は、断面Ｌ字形状の前後一対の膨出部収納容器部３１と、各膨出部収納容器部３１の対向側端部から下方に延設された前後一対の支持壁部３２とを一体に有している。また、各支持壁部３２には、それぞれ開口３３がその中央部に形成されているとともに、この開口３３の周辺には４つの止着孔部３４が形成されている。
【００２５】
このリテーナ３０は、後述するようにエアバッグ本体１０のバッグ基部１２の壁部１４を支持するとともに、インフレータ４０が取り付けられるため、膨出部収納容器部３１及び支持壁部３２の板厚を厚くしてある程度の剛性を確保していることが好ましい。また、リテーナ３０は、膨出部収納容器部３１の上端縁部が前記支持枠部２０の前後側に配された側枠片２１，２２に溶着又は接着により接合されており、膨出部収納容器部３１と支持枠部２０とによりエアバッグ本体１０のバッグ膨出部１１を収納できるように構成されている。なお、本発明では、例えばプレス加工などを行うことによって、支持枠部２０とリテーナ３０とを一体に形成することもできる。
【００２６】
前記固定部材５０は、中央に開口５３を有する平板部５１と、平板部５１に対して直角に立設された４本のスタッドボルト５２とを有している。この固定部材５０は、エアバッグ本体１０のバッグ基部１２の前後壁部１４にそれぞれ取り付けられており、平板部５１がエアバッグ本体１０のバッグ基部１２の壁部１４内面に固着されているとともに、スタッドボルト５２がバッグ基部１２に形成したリテーナ止着部１７から引き出されて突出している。
【００２７】
前記インフレータ４０は、膨張用ガスを発生させるガス発生部４２を周面に有する円筒状のインフレータ本体４１と、インフレータ本体４１の長さ方向中央部に形成されたフランジ４３とを有しており、このフランジ４３の四隅には、リテーナ３０の４つのスタッドボルト５２を挿通可能な止着孔部４４が形成されている。
【００２８】
また、インフレータ４０には、制御ユニット等と接続するコネクタが取り付けられている。このインフレータ４０は、ガス発生部４２がリテーナ３０の支持壁部３２に形成した開口３３及び固定部材５０に形成した開口５３を介してバッグ基部１２のガス導入口１６内に挿入された状態で、リテーナ３０の前後一対の支持壁部３２にそれぞれ取り付けられる。
【００２９】
次に、上述のようなエアバッグ本体１０、支持枠部２０、リテーナ３０、インフレータ４０、及び固定部材５０を用いて構成される本実施形態のエアバッグ装置１を組み立てる手順について説明する。
先ず、エアバッグ本体１０のバッグ基部１２の各壁部１４に固定部材５０をそれぞれ取り付ける。このとき、固定部材５０のスタッドボルト５２を壁部１４の内面からリテーナ止着部１７を介して外部に突出させた状態で、固定部材５０の平板部５１をバッグ基部１２の壁部内面に固着する。
【００３０】
次に、バッグ基部１２に固定部材５０を取り付けたエアバッグ本体１０のバッグ膨出部１１を所定の手順に従って折り畳んだ後、規則正しく折り畳まれたバッグ膨出部１１をラッピングシート１３で包み込むように巻き締めることにより、バッグ膨出部１１の折り畳み状態を保持する。またその一方で、支持枠部２０の前後側の側枠片２１，２２とリテーナ３０における前後一対の膨出部収納容器部３１の各上端縁部とをそれぞれ接合することにより、支持枠部２０とリテーナ３０の接合体を形成する。
【００３１】
続いて、支持枠部２０とリテーナ３０の接合体の上方側から前記エアバッグ本体１０を挿入して、バッグ膨出部１１の一部を支持枠部２０とリテーナ３０の膨出部収納容器部３１とに収納する。更に、バッグ基部１２をリテーナ３０の前後一対の支持壁部３２間に挟入し、バッグ基部１２の各壁部１４から突出させた固定部材５０のスタッドボルト５２をリテーナ３０の支持壁部３２に形成した止着孔部３４に挿通させる。
【００３２】
その後、リテーナ３０の支持壁部３２から外方に突出しているスタッドボルト５２にインフレータ４０の止着孔部４４の位置を合わせて、スタッドボルト５２を止着孔部４４に挿入することにより、スタッドボルト５２にインフレータ４０のフランジ４３を取着する。更に、インフレータ４０をスタッドボルト５２に沿って移動させることにより、インフレータ４０のガス発生部４２を、リテーナ３０の支持壁部３２に形成した開口３３及び固定部材５０に形成した開口５３を介して、バッグ基部１２のガス導入口１６内に挿入する。
【００３３】
そして、各スタッドボルト５２にナット５４を螺嵌して締め付けることにより、固定部材５０の平板部５１とナット５４の間に、バッグ基部１２の壁部１４のガス導入口周縁部とリテーナ３０の支持壁部３２の開口周縁部とが挟持固定される。これにより、図１に示すような本実施形態のエアバッグ装置１を組み立てることができる。
【００３４】
このようにして組み立てられた本実施形態のエアバッグ装置１は、支持枠部２０とリテーナ３０とによりエアバッグ本体１０が安定して収容され確実に固定されている。またこのとき、バッグ基部１２のリアパネル部１５を直接支持又は固定する部材が配されてなく、また、バッグ膨出部１１の左右側面部は、支持枠部２０の左右側に配された細い側枠片２３，２４により支持されているだけである。
【００３５】
即ち、本実施形態のエアバッグ装置１は、例えば従来のような底面及び前後左右の各側面を有する筐体状のリテーナによってエアバッグ本体を収容し固定する場合に比べて、エアバッグ本体を支持固定するための部材（金属部材）を少なくして構成することができ、これにより、装置自体の大幅な軽量化を図ることが可能となる。更に、本実施形態では、リテーナ３０の支持壁部３２にインフレータ４０を取り付けることができ、例えばインフレータをエアバッグ本体の底面部に取り付ける場合に比べて、装置の小型化や省スペース化を果たすことができる。
【００３６】
また、本実施形態のエアバッグ装置１を車両の助手席側前方のインストルメントパネル裏面に装着し、更に当該車両が衝突してエアバッグ装置１が作動した場合には、インフレータ４０のガス発生部４２から膨張用ガスを発生させて、その膨張用ガスをエアバッグ本体１０内に導入する。これにより、エアバッグ本体１０のバッグ膨出部１１が、車室内に円滑に膨張展開して乗員の頭部を緩衝支持し、衝突時の乗員の安全を確保することができる。
【００３７】
このとき、本実施形態のエアバッグ装置１では、エアバッグ本体１０のバッグ基部１２のガス導入口周縁部がリテーナ３０の支持壁部３２に支持固定されているため、インフレータ４０からエアバッグ本体１０内にガスが導入されても、エアバッグ本体１０がバッグ基部１２側に膨張展開することはなく、バッグ膨出部１１を車室内に向けて安定して膨張展開させることができる。
【００３８】
特に、本実施形態では、インフレータ４０のガス発生部４２が円筒状のインフレータ本体周面に形成されているため、ガス発生部４２から噴出したガスの圧力をバッグ膨出部１１に伝え易い。このため、バッグ膨出部１１をより円滑に膨張展開させることができるとともに、バッグ膨出部１１が助手席側前方のインストルメントパネルを容易に破断させて、バッグ膨出部１１の膨張展開を速やかに行うことができる。
【００３９】
なお、本発明は、上述した実施形態に何ら限定されるものではなく、本発明と実質的に同一な構成を有し、かつ、同様な作用効果を奏しさえすれば、多様な変更が可能である。例えば、前記実施形態のエアバッグ装置１では、２つのインフレータ４０が支持壁部３２の互いに対向する位置に取り付けられているが、本発明では、例えば図５及び図６に示すエアバッグ装置６１のように、エアバッグ本体６２のバッグ基部６３とリテーナ６４の支持壁部６５とを前記実施形態よりも左右幅方向に広く形成し、前後のインフレータ４０’の位置を左右方向に互いにずらして配設することも可能である。これにより、例えばインフレータ４０’のガス発生部４２’を大きく形成して、インフレータから発生させる膨張用ガスの容量を増大させることが可能となる。
【００４０】
また本発明では、図７に示すエアバッグ装置７１のように、バッグ基部７２の一対の壁部とリテーナ７３の一対の支持壁部７４とを、前後方向ではなく左右方向に配設して、２つのインフレータ４０を左右方向に取り付けることも可能である。更に、前記実施形態のエアバッグ装置１、図５及び図６に示したエアバッグ装置６１、及び図７に示したエアバッグ装置７１では、２つのインフレータをリテーナの支持壁部に取り付け固定している。
【００４１】
しかし、本発明では、何れか一方のインフレータの配設を省略し、他方のインフレータのガス発生容量を大きく設定することによって、１つのインフレータのみでエアバッグ本体のバッグ膨出部を膨張展開させるようにエアバッグ装置を構成することも可能である。即ち、本発明においては、例えばインストルメントパネル裏面側に設けられるエアバッグ装置の設置スペースの形状や大きさ、更には、エアバッグ本体自体の形状やその折畳み形状などに応じて、インフレータの位置や数を適宜変更することができる。
【００４２】
更に本発明では、例えば図８に示すエアバッグ装置８１のように、リテーナ８２の支持壁部８３の左右幅方向の長さを膨出部収納容器部と略同じくらいに長く形成し、エアバッグ本体８４のバッグ膨出部底面に複数のバッグ基部８５を形成して、支持壁部８３により複数のバッグ基部８５を支持することも可能である。
【図面の簡単な説明】
【００４３】
【図１】本発明に係るエアバッグ装置を模式的に示す斜視図である。
【図２】同エアバッグ装置の断面図である。
【図３】同エアバッグ装置を分解して、その一部を示した要部斜視図である。
【図４】同エアバッグ装置の下面図である。
【図５】本発明に係るエアバッグ装置の変形例を示す下面図である。
【図６】同変形例における支持枠部、リテーナ、及びインフレータの構成を模式的に示す斜視図である。
【図７】本発明に係るエアバッグ装置の別の変形例を示す斜視図である。
【図８】本発明に係るエアバッグ装置の更に別の変形例を示す前面図である。
【図９】従来のエアバッグ装置を分解して示した分解斜視図である。
【符号の説明】
【００４４】
１                エアバッグ装置
１０                エアバッグ本体
１１                バッグ膨出部
１２                バッグ基部
１３                ラッピングシート
１４                壁部
１５                リアパネル部
１６                ガス導入口
１７                リテーナ止着部
２０                支持枠部
２１〜２４          側枠片
２５                フック部
３０                リテーナ
３１                膨出部収納容器部
３２                支持壁部
３３                開口
３４                止着孔部
４０，４０’        インフレータ
４１                インフレータ本体
４２，４２’        ガス発生部
４３                フランジ
４４                止着孔部
５０                固定部材
５１                平板部
５２                スタッドボルト
５３                開口
５４                ナット
６１                エアバッグ装置
６２                エアバッグ本体
６３                バッグ基部
６４                リテーナ
６５                支持壁部
７１                エアバッグ装置
７２                バッグ基部
７３                リテーナ
７４                支持壁部
８１                エアバッグ装置
８２                リテーナ
８３                支持壁部
８４                エアバッグ本体
８５                バッグ基部
【図１】
2008247295.tif 000003
【図２】
2008247295.tif 000004
【図３】
2008247295.tif 000005
【図４】
2008247295.tif 000006
【図５】
2008247295.tif 000007
【図６】
2008247295.tif 000008
【図７】
2008247295.tif 000009
【図８】
2008247295.tif 000010
【図９】
2008247295.tif 000011